(57)【要約】      （修正有）【課題】元の帯の切断や穿孔、切込みなどの破壊をせずに、つくり帯を作る。【解決手段】帯をつくり帯にする際に、帯の一端を胴回りに必要かつ充分な長さだけ折り返して二重巻きの構造を作ることによって、帯を破壊せずに、しかも複数通りの結び目を実現する。【選択図】図３
0003131976.tif 000002
【実用新案登録請求の範囲】
【請求項１】
一本の既成の帯を中途で切断したり穴を穿ったり切込みを入れるなどの破壊を伴わずに、着用者の胴回り部分に見合った長さに帯を折り返して二重に重ね、その両端近くの表と裏に面ファスナーを一対になるように縫い付けて、これによってウエストサイズと帯の締め具合を調節出来るようにし、帯の残余の長さの部分は、帯の表側に作る結び目とし、この部分は貝ノ口結びとその変形のデザインを選ぶことが出来、結び目の内部には帯締め通しのテープを縫い付けてある半幅のつくり帯。
【請求項２】
請求項１の帯で結び目の部分がリボン結びの諸形態になっている半幅のつくり帯。
【請求項３】
請求項１の帯で結び目の部分がお太鼓結びになっている名古屋帯、袋帯のつくり帯。
【考案の詳細な説明】
【技術分野】
【０００１】  本考案は、元の帯に復元することができ、複数の装飾的な結び目を選べる女性用の和服のつくり帯に関するものである。
【背景技術】
【０００２】  女性用の和服帯は、帯揚げや帯締めを含めた締め方にしても結び目の作り方にしても、着付教室などにおいて習熟のための稽古が必要で、扱いにくく難解なものであると見られてきた。また、数多くの補助紐とともに身体をきつく締め上げることで形の美しさを実現し保とうとするものでもあり、着方が難しいだけでなく、着ているときも苦痛を伴う側面がある。このため、和服の着用が敬遠されることに繋がる一因ともなってきた。【０００３】  こうした趨勢を打開し、より簡単に和服を着用出来るようにすべく、つくり帯を開発する試みも多々生まれてきたが、その手法に共通していたのは、胴回りを締める部分とお太鼓結びやリボン結びなどの結び目の部分とに分けて、補助金具などによるアタッチメントを使う方法や、二つの部分を縫い付ける方法によって後から結び目を装着するものであった。
【特許文献１】登録実用新案第３０８７８３６号
【特許文献２】登録実用新案第３１０６０２０号
【特許文献３】登録実用新案第３１０６４４１号
【特許文献４】登録実用新案第３１２９０４４号  このため、素材や生地の織り、染色・刺繍など制作・加工の技術や作者などによって価値が生じるような高価な帯は損傷を伴ってまでつくり帯にするわけにいかず、結果的に、装飾的には粗末で安価なものでしかつくり帯は出来ず、着用者にとって魅力や楽しみの少ないものにならざるを得なかった。【０００４】  また、一本の帯で制作できるつくり帯の結び目の形は一種類に限られてきたため、この意味からも、用途は限定され、着用機会が増えない結果にもつながってきた。
【特許文献５】登録実用新案第３０８１３７０号
【考案の開示】
【考案が解決しようとする課題】
【０００５】  本考案で解決しようとする問題点は、つくり帯の制作に当たって、元の帯を切断などによって破壊してしまって元の帯に復元できないことと、その結び目の形状が変更できなかったことである。
【課題を解決するための手段】
【０００６】  本考案は、帯をつくり帯にする際に、帯の一端を胴回りに必要かつ充分な長さだけ折り返して二重巻きの構造を作ることによって、その他の部分の切断や穿孔、切り込みなどの破壊をせずに装飾的な複数通りの結び目を実現できていることに特徴がある。
【考案の効果】
【０００７】  本考案のつくり帯は、より多様な和服帯をつくり帯にすることが出来るとともに、同じ一本の帯でも多様な形状の結び目のつくり帯を実現できるため、つくり帯の着用者と着用機会を格段に増やせる効果を生み出している。
【考案を実施するための最良の形態】
【０００８】  本考案は、帯の二重に重ねた部分の両端に一対の配置になるように面ファスナーを縫い付けることで胴回りの機能の安定性を確保し、その後に帯の残余の部分を様々な装飾的形状の結び目にすることで、機能性と装飾性の高さを実現するものである。
【実施例１】
【０００９】  普段着の着物姿で多用される半幅帯の貝ノ口結びの例である。〔図１〕の（Ａ）において、最初に帯の一端を着用者のウエスト寸法に合わせて必要かつ十分な長さだけ折り返し、二重になった部分の端から数センチの位置にハードタイプの面ファスナー（ａ）を縫い付け、また、反対側の端の裏側にソフトタイプの面ファスナー（ｂ）を比較的長めに縫い付けておく。〔図１〕の（Ｂ）において、帯の残った部分をおおよそ２対３の比率になる部分で折り返し、端から適度な位置に帯締めを通すためのテープ（ｃ）を縫い付けておく。この後に、〔図１〕の（Ｃ）において、折り返して二重になった部分とテープ（ｃ）を縫い付けた端の部分を補助紐（ｄ）および（ｅ）で絞り、〔図１〕の（Ｄ）において、二重になった部分を筒状に巻き込んで補助紐（ｅ）で絞った部分を脇に出し、この頭を出した口の側から筒状に巻き込んだ中をテープを縫い付けてある先端部分をくぐらせ、〔図１〕の（Ｅ）において、補助紐（ｄ）（ｅ）で絞った部分が筒の左右から頭を出す形にして帯の結び目を適度に引き締める。この後に、〔図１〕の（Ｆ）において、絞り上げた補助紐を解いて、結び目の両端の形を整える。最後に、貝ノ口結びと胴回りの部分とを密着させるために必要に応じて結び目の一部分を胴回り部分に縫い付ける。以上によって、〔図１〕の（Ｇ）が完成図である。また、帯締め通しのテープによって、〔図１〕の（Ｈ）の（イ）（ロ）のごとく帯締めの位置を安定させることが出来る。なお、〔図１〕の（Ｉ）の（ハ）（ニ）（ホ）に示すように、貝ノ口結びの両端からの帯の頭の出し方によって、いくつかのデザインをアレンジすることが出来る。
【実施例２】
【００１０】  また、夏のゆかた姿などで多く見られるリボン結びのつくり帯も、〔図１〕の（Ａ）の状態から作ることが出来、その制作過程を示したのが〔図２〕の（Ａ）から（Ｈ）までの行程である。〔図２〕の（Ａ）において、着用者の胴回りのために確保した折り返し部分以外の部分を直角に折り曲げ、〔図２〕の（Ｂ）におけるように、直角に折り曲げた部分を胴回り部分に畳み込む方向に裏返し、さらに、〔図２〕の（Ｃ）に示すように、この部分を内側に半分に折りたたんだ後に、〔図２〕の（Ｄ）のように、半分に折りたたんだ部分のおよそ３分の２の長さの部分を広げる。このとき、帯の上辺に当たる部分が〔図２〕の中の（ア）辺であり、下辺に当たる部分が（イ）辺となる。この後に〔図２〕の（Ｅ）に示すように、広げた部分を互い違いに折り重ね、〔図２〕の（Ｆ）のように、補助紐（ｄ）によって、中心部を絞り、つくり帯のリボン結びの形状を作り出し、〔図２〕の（Ｇ）の形状となるように、リボン結びの部分を半分に折り重ねた部分で巻き込み、最後に、リボン結びと胴回りとの固定のための縫い付けを必要な範囲で行う。〔図２〕の（Ｈ）がリボン結びのつくり帯の完成図である。
【実施例３】
【００１１】  さらに、正装用などに着られるお太鼓結びの実施例が〔図３〕である。帯の表側の端から帯枕を当てる適度な位置に、あらかじめ帯山通しゴム〔図３〕の（Ａ）の（ａ）を縫い付けておき、その後に、〔図３〕の（Ａ）と（Ｄ）の（イ）に示す「垂れ」の長さを残して、お太鼓の形になるように帯を折りたたむ。この際、名古屋帯であれば一重にたたみ、袋帯の場合は二重にたたむ。次にこれを裏返して、〔図３〕の（Ｂ）の（ｂ）のように、背中の三角をつくり背部分にクッションになる綿を入れ、残余の部分を右方向に直角に折り曲げ、ここから先の部分を谷折で二つ折りにする。さらに、〔図３〕の（Ｃ）のように、その先端をお太鼓の中を右辺から左辺へ通し、先端を、〔図３〕の（Ｄ）の（ア）に示すように、左側の「手」としてお太鼓の外に３センチほど出す。また、右辺も左辺と同じだけ「手」を残して折り返し、二つ折りになった部分を一枚の布のように揃えて重ねる。この部分が帯の胴回りを構成する。背中の三角に重なる部分を中心にして、〔図３〕の（Ｄ）と（Ｅ）の（ｃ）のように、面ファスナーのソフトタイプの部分を広めの幅をとって縫い付け、また、〔図３〕の（Ｄ）と（Ｅ）の（ｄ）のように、胴回りの先端近くの裏側に面ファスナーのハードタイプを縫い付け、ソフトタイプとともに一対のものとして機能させる。さらに、〔図３〕の（Ｄ）と（Ｅ）の（ｅ）のように帯の形状を安定させるために必要な部分を縫い付けたり、着用者によっては〔図３〕の（Ｆ）の（カ）のように帯締め通しの補助テープを縫い付けて、完成させる。着用時には、〔図３〕の（Ｆ）の（ウ）のような帯枕をくるんだ帯揚げや〔図３〕の（Ｆ）の（エ）のような帯締めを、お太鼓の中に通して帯と一体の付属品として取り扱うことが出来る。
【産業上の利用可能性】
【００１２】  本考案によるつくり帯は、面ファスナーで胴回りのサイズや締め具合を調節するものであるため着用感も快適であることが実証されている。すなわち、和服の着付を習得していない人、身体の自由が思い通りにならない人など、新規の和服愛好者の獲得に繋がる商品力を発揮している。また、一旦つくり帯にしたものを元の帯に復元できることから、高級素材の帯で仕立てることにも抵抗感がなく、形見の帯、記念の帯などをつくり帯にする事例も生まれており、既存の箪笥在庫の掘り起しも期待できる。これらの事情により、和服の製造・加工の事業者の事業機会の拡大を見込むことが出来る。
【図面の簡単な説明】
【００１３】
【図１】貝ノ口結びの半幅帯をつくり帯にする行程を示した図である。
【図２】リボン結びの半幅帯をつくり帯にする行程を示した図である。
【図３】お太鼓結びの名古屋帯および袋帯をつくり帯にする行程を示した図である。
【符号の説明】
【００１４】〔図１〕
（Ａ）（Ｂ）（Ｃ）（Ｄ）（Ｅ）（Ｆ）（Ｇ）一本の半幅帯を貝ノ口のつくり帯にする行程
（ａ）面ファスナー・ハードタイプ
（ｂ）面ファスナー・ソフトタイプ
（ｃ）帯締め通し用テープ
（ｄ）（ｅ）結び目用の補助紐
（Ｈ）（Ｉ）貝ノ口結びの着用イメージ
（イ）（ハ）（ニ）（ホ）背面から見た図
（ロ）前面から見た図
〔図２〕
（Ａ）（Ｂ）（Ｃ）（Ｄ）（Ｅ）（Ｆ）（Ｇ）（Ｈ）一本の半幅帯をリボン結びのつくり帯にする行程
（ａ）面ファスナー・ハードタイプ
（ｃ）帯締め通し用テープ
（ｄ）結び目用の補助紐
（ア）辺  上辺
（イ）辺  下辺
〔図３〕
（Ａ）（Ｂ）（Ｃ）（Ｄ）（Ｅ）（Ｆ）一本の袋帯または名古屋帯をお太鼓結びのつくり帯にする行程
（ａ）帯山通しゴム
（ｂ）「背中の三角」空間
（ｃ）面ファスナー・ソフトタイプ
（ｄ）面ファスナー・ハードタイプ
（ｅ）お太鼓の形状安定のための縫製
（ア）お太鼓の「手」
（イ）お太鼓の「垂れ」
（ウ）帯揚げ
（エ）帯締め
（オ）帯枕
（カ）帯締め通し用テープ
【図１】
0003131976.tif 000003
【図２】
0003131976.tif 000004
【図３】
0003131976.tif 000005